(57)【要約】【課題】名刺における記録情報の一部をステッカーシートを用いて修正する作業を容易化すること。【解決手段】名刺画像抽出部４４は、入力画像Ｇ０から第１名刺画像Ｇ１および第２名刺画像Ｇ２を抽出する。名刺情報抽出部４５は、前記第１名刺画像Ｇ１から第１名刺情報Ｇ１０を抽出するとともに前記第２名刺画像Ｇ２から第２名刺情報Ｇ２０を抽出する。情報比較部４６は、前記第１名刺情報Ｇ１０のうち対応する前記第２名刺情報Ｇ２０と内容が異なる元差異情報Ｇ１１および前記元差異情報に対応する前記第２名刺情報である新差異情報Ｇ２１を特定する。プリント制御部４３は、名刺シート９２ｃの一部の出力領域Ａ０に前記新差異情報Ｇ２１の画像を形成する処理を、プリント処理装置２に実行させる。前記出力領域Ａ０は、前記第１名刺画像Ｇ１における前記元差異情報Ｇ１１が抽出された位置に対応する領域である。【選択図】図１
2019193179.tif 000002
【特許請求の範囲】
【請求項１】
シートに画像を形成するプリント処理を実行するプリント処理装置と、
入力画像から予め定められた方向に沿って並ぶ第１名刺画像および第２名刺画像を抽出する名刺画像抽出部と、
前記第１名刺画像から予め定められた複数の項目の第１名刺情報を抽出するとともに前記第２名刺画像から前記複数の項目の第２名刺情報を抽出する名刺情報抽出部と、
前記第１名刺情報のうち対応する前記第２名刺情報と内容が異なる元差異情報および前記元差異情報に対応する前記第２名刺情報である新差異情報を特定する情報比較部と、
名刺シートの一部の出力領域に前記新差異情報の画像を形成する前記プリント処理を、前記プリント処理装置に実行させるプリント制御部と、を備え、
前記出力領域は、前記第１名刺画像における前記元差異情報が抽出された位置に対応する前記名刺シート内の領域である、画像形成装置。
【請求項２】
前記プリント制御部は、前記名刺シートにおける前記出力領域の位置を示す出力領域情報を前記名刺シートとは異なる前記シートに形成する前記プリント処理を前記プリント処理装置にさらに実行させる、請求項１に記載の画像形成装置。
【請求項３】
前記出力領域情報が、前記第１名刺画像の輪郭の２辺または３辺に沿う線を示す折り目線画像および前記折り目線画像を基準にした前記出力領域の位置を指示する指示画像を含む、請求項２に記載の画像形成装置。
【請求項４】
前記プリント制御部は、前記名刺シートとは異なるステッカーシートから前記出力領域を覆う大きさの矩形のシート片を切り出す位置を示す画像を前記ステッカーシートに形成する前記プリント処理を前記プリント処理装置にさらに実行させる、請求項１から請求項３のいずれか１項に記載の画像形成装置。
【請求項５】
原稿から画像を読み取り、読取画像のデータを前記入力画像のデータとして出力する画像読取装置をさらに備える、請求項１から請求項４のいずれか１項に記載の画像形成装置。
【請求項６】
シートに画像を形成するプリント処理を実行する画像形成装置の制御方法であって、
入力画像から予め定められた方向に沿って並ぶ第１名刺画像および第２名刺画像を抽出することと、
前記第１名刺画像から予め定められた複数の項目の第１名刺情報を抽出するとともに前記第２名刺画像から前記複数の項目の第２名刺情報を抽出することと、
前記第１名刺情報のうち対応する前記第２名刺情報と内容が異なる元差異情報および前記元差異情報に対応する前記第２名刺情報である新差異情報を特定することと、
名刺シートの一部の出力領域に前記新差異情報の画像を形成する前記プリント処理を、前記画像形成装置に実行させることと、を含み、
前記出力領域は、前記第１名刺画像における前記元差異情報が抽出された位置に対応する前記名刺シート内の領域である、画像形成装置の制御方法。
【発明の詳細な説明】
【技術分野】
【０００１】
本発明は、名刺画像のデータを処理する画像形成装置および画像形成装置の制御方法に関する。
【背景技術】
【０００２】
画像処理装置が、名刺画像を含む入力画像から名刺情報を抽出し、抽出した前記名刺情報に相当する個人データをアドレス帳データとして不揮発性の記憶装置に記憶させることが知られている。（例えば、特許文献１参照）。
【先行技術文献】
【特許文献】
【０００３】
【特許文献１】特開２００３−３６２６０号公報
【発明の概要】
【発明が解決しようとする課題】
【０００４】
ところで、名刺の所有者の所属部署、メールアドレスまたは電話番号などの属性が変わった場合に、残存する旧い名刺が、ステッカーシートを用いて記録情報の一部が修正された上で使用される場合がある。
【０００５】
通常、前記旧い名刺の記録情報の修正は、以下の手順で行われる。まず、新たな属性の情報が、画像形成装置によってステッカーシートにプリントされる。前記ステッカーシートは、剥離紙と前記剥離紙に貼り付けられた粘着シートとの二重構造を有する。
【０００６】
さらに、前記新たな情報が記録された小さな粘着シート片が、前記ステッカーシートから切り出され、前記粘着シート片が、前記旧い名刺における旧い情報が記録された部分に貼り付けられる。
【０００７】
しかしながら、前記粘着シート片を、前記旧い名刺に対して文字列が並ぶ方向に沿って理想的な位置および向きで貼り付けることは難しい。
【０００８】
本発明の目的は、名刺における記録情報の一部をステッカーシートを用いて修正する作業を容易化できる画像形成装置および画像形成装置の制御方法を提供することにある。
【課題を解決するための手段】
【０００９】
本発明の一の局面に係る画像形成装置は、プリント処理装置と、名刺画像抽出部と、名刺情報抽出部と、情報比較部と、プリント制御部と、を備える。前記プリント処理装置は、シートに画像を形成するプリント処理を実行する。前記名刺画像抽出部は、入力画像から予め定められた方向に沿って並ぶ第１名刺画像および第２名刺画像を抽出する。前記名刺情報抽出部は、前記第１名刺画像から予め定められた複数の項目の第１名刺情報を抽出するとともに前記第２名刺画像から前記複数の項目の第２名刺情報を抽出する。前記情報比較部は、前記第１名刺情報のうち対応する前記第２名刺情報と内容が異なる元差異情報および前記元差異情報に対応する前記第２名刺情報である新差異情報を特定する。前記プリント制御部は、名刺シートの一部の出力領域に前記新差異情報の画像を形成する前記プリント処理を、前記プリント処理装置に実行させる。前記出力領域は、前記第１名刺画像における前記元差異情報が抽出された位置に対応する前記名刺シート内の領域である。
【００１０】
本発明の他の局面に係る画像形成装置の制御方法は、シートに画像を形成するプリント処理を実行する画像形成装置を制御する方法である。本制御方法は、入力画像から予め定められた方向に沿って並ぶ第１名刺画像および第２名刺画像を抽出することを含む。さらに、本制御方法は、前記第１名刺画像から予め定められた複数の項目の第１名刺情報を抽出するとともに前記第２名刺画像から前記複数の項目の第２名刺情報を抽出することを含む。さらに、本制御方法は、前記第１名刺情報のうち対応する前記第２名刺情報と内容が異なる元差異情報および前記元差異情報に対応する前記第２名刺情報である新差異情報を特定することを含む。さらに、本制御方法は、名刺シートの一部の出力領域に前記新差異情報の画像を形成する前記プリント処理を、前記画像形成装置に実行させることを含む。前記出力領域は、前記第１名刺画像における前記元差異情報が抽出された位置に対応する前記名刺シート内の領域である。
【発明の効果】
【００１１】
本発明によれば、名刺における記録情報の一部をステッカーシートを用いて修正する作業を容易化できる画像形成装置および画像形成装置の制御方法を提供することが可能になる。
【図面の簡単な説明】
【００１２】
【図１】図１は、実施形態に係る画像形成装置のブロック図である。
【図２】図２は、実施形態に係る画像形成装置における名刺リメイク支援処理の手順の一例を示すフローチャートであるである。
【図３】図３は、入力画像の第１例を示す図である。
【図４】図４は、入力画像の第２例を示す図である。
【図５】図５は、実施形態に係る画像形成装置によりシートにプリントされる切り出し画像の一例を示す図である。
【図６】図６は、実施形態に係る画像形成装置によりシートにプリントされる出力領域案内画像の一例を示す図である。
【図７】図７は、出力領域案内画像が形成されたシートから切り出された出力位置案内シート片の一例を示す図である。
【図８】図８は、折り目線に沿って折られた出力位置案内シート片の一例を示す図である。
【図９】図９は、出力領域案内シートの一例を示す図である。
【図１０】図１０は、粘着シート片が貼り付けられた名刺の一例を示す図である。
【図１１】図１１は、修正画像がプリントされた名刺の一例を示す図である。
【発明を実施するための形態】
【００１３】
以下、図面を参照しながら、本発明の実施形態について説明する。なお、以下の実施形態は、本発明を具体化した一例であって、本発明の技術的範囲を限定するものではない。
【００１４】
［画像形成装置１０の構成］
実施形態に係る画像形成装置１０は、画像データに対する各種のデータ処理およびシート９２に画像を形成するプリント処理を実行する装置である（図１参照）。画像形成装置１０は、原稿９１から画像を読み取る読取処理も実行可能である。
【００１５】
図１に示されるように、画像形成装置１０は、画像読取装置１、プリント処理装置２，ユーザーインターフェイスユニット３、ＣＰＵ（Central Processing Unit）４、ＲＡＭ（Random Access Memory）４ａ、二次記憶装置５および通信装置６などを備える。
【００１６】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、画像を表示可能な装置であり、例えば、液晶表示パネルなどの表示パネルを含む。
【００１７】
通信装置６は、ネットワーク８０を通じて情報処理装置８などの他装置との間で通信を行う通信インターフェイスデバイスである。ＣＰＵ４は、前記他装置との間のデータの送信および受信の全てを、通信装置６を通じて行う。
【００１８】
二次記憶装置５は、コンピューター読み取り可能な不揮発性の記憶装置である。二次記憶装置５は、プログラムおよび各種のデータを記憶可能である。例えば、フラッシュメモリーまたはハードディスクドライブの一方または両方が、二次記憶装置５として採用される。
【００１９】
ＲＡＭ４ａは、ＣＰＵ４が実行する前記プログラムおよびＣＰＵ４が前記プログラムを実行する過程で出力および参照するデータを一次記憶する揮発性の記憶装置である。ＲＡＭ４ａは、二次記憶装置５よりも高速なデータアクセスが可能な記憶装置である。
【００２０】
画像読取装置１は、前記読取処理を実行する。画像読取装置１は、原稿台１ａ、光源１ｂ、走査機構１ｃ、イメージセンサー１ｄおよびＡＦＥ（Analog Front End）１ｅなどを備える。
【００２１】
光源１ｂは、原稿台１ａに載置された原稿９１に対して光を出射する。走査機構１ｃは、光源１ｂの光を原稿９１に対して走査させる。イメージセンサー１ｄは、原稿９１からの反射光を受光し、受光量の検出信号を画像信号として出力する。
【００２２】
ＡＦＥ（１ｅ）は、前記画像信号をデジタルの画像データへ変換する。以下の説明において、画像読取装置１の前記読取処理によって原稿９１から読み取られた画像のことを読取画像と称する。
【００２３】
プリント処理装置２は、電子写真方式またはインクジェット方式などの予め定められた方式で前記プリント処理を実行する。
【００２４】
プリント処理装置２および通信装置６は、プリントジョブを実行する。前記プリントジョブにおいて、通信装置６が、情報処理装置８からプリントデータを受信し、プリント処理装置２が、前記プリントデータに基づく前記プリント処理を実行する。
【００２５】
画像読取装置１および通信装置６は、画像送信ジョブを実行する。前記画像送信ジョブにおいて、画像読取装置１が前記読取処理を実行し、通信装置６が、前記読取処理により得られる前記読取画像のデータを、ネットワーク８０を通じて情報処理装置８などの前記他装置へ送信する。
【００２６】
また、画像読取装置１およびプリント処理装置２は、複写ジョブを実行する。前記複写ジョブにおいて、画像読取装置１が前記読取処理を実行し、通信装置６が、前記読取処理により得られる前記読取画像のデータに基づく前記プリント処理を実行する。
【００２７】
ＣＰＵ４は、各種の演算、データ処理および画像形成装置１０が備える各種の電気機器の制御を実行する。ＣＰＵ４は、画像読取装置１、プリント処理装置２、ユーザーインターフェイスユニット３および通信装置６との間でデータおよび制御信号の受け渡しが可能である。
【００２８】
ＣＰＵ４は、各種のデータ処理を実行するプロセッサーの一例である。さらに、ＣＰＵ４は、画像読取装置１、プリント処理装置２、表示装置３ｂおよび通信装置６などの各種の機器を制御する。なお、ＤＳＰ（Digital Signal Processor）などの他のプロセッサーが、ＣＰＵ４の一部または全部の代わりに採用されることも考えられる。
【００２９】
ＣＰＵ４は、二次記憶装置５に記憶されたプログラムを実行することにより、主制御部４１、読取制御部４２およびプリント制御部４３などとして動作する。
【００３０】
主制御部４１は、操作装置３ａに対する操作の検出、通信装置６を通じたデータの受信および送信、および表示装置３ｂへの画面出力の制御などを実行する。
【００３１】
読取制御部４２は、画像読取装置１を制御する。例えば、読取制御部４２は、前記複写ジョブまたは前記画像送信ジョブにおいて、画像読取装置１に前記読取処理を実行させ、画像読取装置１から前記読取画像のデータを取得する。
【００３２】
プリント制御部４３は、プリント処理装置２を制御する。例えば、プリント制御部４３は、前記複写ジョブにおいて、前記読取画像のデータに基づく前記プリント処理をプリント処理装置２に実行させる。また、プリント制御部４３は、前記プリントジョブにおいて、通信装置６を通じて情報処理装置８から受信されたプリントデータに基づく前記プリント処理をプリント処理装置２に実行させる。
【００３３】
ところで、名刺の所有者の所属部署、メールアドレスまたは電話番号などの属性が変わった場合に、残存する旧い名刺が、ステッカーシートを用いて記録情報の一部が修正された上で使用される場合がある。
【００３４】
通常、前記旧い名刺の記録情報の修正は、以下の手順で行われる。まず、新たな属性の情報が、画像形成装置１０によってステッカーシートにプリントされる。前記ステッカーシートは、剥離紙と前記剥離紙に貼り付けられた粘着シートとの二重構造を有する。
【００３５】
さらに、前記新たな情報が記録された小さな粘着シート片が、前記ステッカーシートから切り出され、前記粘着シート片が、前記旧い名刺における旧い情報が記録された部分に貼り付けられる。これより、前記旧い名刺がリメイクされる。
【００３６】
しかしながら、前記粘着シート片を、前記旧い名刺に対して文字列が並ぶ方向に沿って理想的な位置および向きで貼り付けることは難しい。
【００３７】
例えば、予め前記粘着シート片に記録される修正情報の文字列が、前記名刺に元々記録されている周辺の他の文字列の位置または向きに対してズレた位置または向きで配置される、という不都合が生じやすい。
【００３８】
画像形成装置１０は、後述する名刺修正支援処理を実行する。これにより、画像形成装置１０は、名刺における記録情報の一部を前記ステッカーシートを用いて修正する作業を容易化することができる。
【００３９】
ＣＰＵ４は、二次記憶装置５に記憶されたプログラムを実行することにより、さらに名刺画像抽出部４４、名刺情報抽出部４５、情報比較部４６、案内画像生成部４７および切り出し画像生成部４８などとしても動作する。
【００４０】
読取制御部４２、名刺画像抽出部４４、名刺情報抽出部４５、情報比較部４６、案内画像生成部４７および切り出し画像生成部４８が、前記名刺修正支援処理を実行する。
【００４１】
［名刺リメイク支援処理］
主制御部４１は、予め定められた開始イベントが発生したときに、前記名刺リメイク支援処理を開始する。
【００４２】
前記開始イベントの一例は、操作装置３ａに対して動作モードを名刺リメイクモードに指定する操作が行われた上で、前記画像読取処理の開始操作が行われた、という第１開始イベントである。
【００４３】
また、前記開始イベントの他の例は、前記動作モードを前記名刺リメイクモードに指定する情報を含む名刺修正支援要求コマンドが、情報処理装置８から通信装置６を通じて受信された、という第２開始イベントである。
【００４４】
前記第１開始イベントに対応する前記画像読取処理の開始操作が行われる前に、旧名刺と新名刺とが、予め定められた名刺配列方向に沿って予め定められた配列順序で原稿台１ａ上に並べられる。
【００４５】
例えば、前記名刺配列方向は、画像読取装置１の主走査方向または副走査方向である（図３，４参照）。前記主走査方向および前記副走査方向は、それぞれ前記読取画像におけるＸ軸方向Ｄ１およびＹ軸方向Ｄ２である。
【００４６】
前記新名刺は、名刺の所有者の所属部署、メールアドレスまたは電話番号などの属性が変わった場合における新属性の情報が反映された名刺である。前記旧名刺は、前記新属性の情報が反映される前の名刺である。
【００４７】
図３，４は、ある人の名刺に記録される複数の項目のうち、役職および電話番号の情報が異なる前記旧名刺および前記新名刺の画像の例を示す。
【００４８】
後述するように、前記名刺リメイク支援処理において、前記旧名刺に修正画像Ｇ２１０を形成する前記プリント処理が実行される（図１１参照）。修正画像Ｇ２１０は、前記新属性の情報を表す画像である。
【００４９】
即ち、前記名刺リメイク支援処理において、前記旧名刺が前記プリント処理におけるシート９２となる。以下の説明において、前記印刷処理における画像形成媒体となる前記旧名刺のことを名刺シート９２ｃと称する（図１０，１１参照）。
【００５０】
また、名刺シート９２ｃにおける修正画像Ｇ２１０が形成される領域のことを出力領域Ａ０と称する（図１０参照）。
【００５１】
図１０に示されるように、何も記録されていない粘着シート片９２０が名刺シート９２ｃにおける出力領域Ａ０に貼り付けられる。そして、前記名刺リメイク支援処理において、修正画像Ｇ２１０を名刺シート９２ｃにおける粘着シート片９２０が貼り付けられた領域に形成する前記プリント処理が実行される。
【００５２】
以下、図２に示されるフローチャートを参照しつつ、前記名刺リメイク支援処理の具体的手順の一例について説明する。以下の説明において、Ｓ１，Ｓ２，…は、前記名刺リメイク支援処理における複数の工程の識別符号を表す。
【００５３】
＜工程Ｓ１＞
前記名刺リメイク支援処理において、まず、主制御部４１または読取制御部４２が、画像データ取得処理を実行する。前記画像データ取得処理は、前記名刺リメイク支援処理の対象となる画像データを取得する処理である。
【００５４】
以下の説明において、前記名刺リメイク支援処理の対象となる画像データのことを入力画像データと称し、前記入力画像データが表す画像のことを入力画像Ｇ０と称する。
【００５５】
前記名刺リメイク支援処理が、前記第１開始イベントに応じて開始される場合、前記画像データ入力処理は、画像読取装置１に前記読取処理を実行させることにより、前記読取画像のデータを入力画像Ｇ０のデータとして取得する処理である。即ち、画像読取装置１は、前記旧名刺および前記新名刺からなる原稿９１から画像を読み取り、前記読取画像のデータを入力画像Ｇ０のデータとして出力する。
【００５６】
この場合、画像読取装置１は、原稿台１ａ上に並べられた前記旧名刺および前記新名刺から画像を読み取り、読取画像のデータを入力画像Ｇ０のデータとして出力する。前記読取画像は入力画像Ｇ０の一例である。
【００５７】
前記名刺リメイク支援処理が、前記第２開始イベントに応じて開始される場合、前記画像データ入力処理は、情報処理装置８から通信装置６を通じて前記旧名刺および前記新名刺の画像を含む入力画像Ｇ０のデータを受信する処理である。
【００５８】
図３，４に示されるように、入力画像Ｇ０は、予め定められた前記名刺配列方向に沿って並ぶ第１名刺画像Ｇ１および第２名刺画像Ｇ２を含む。第１名刺画像Ｇ１は、前記旧名刺の画像であり、第２名刺画像Ｇ２は、前記新名刺の画像である。
【００５９】
また、第１名刺画像Ｇ１および第２名刺画像Ｇ２の配列順序も予め定められている。図３，４に示される例では、前記名刺配列方向は入力画像Ｇ０におけるＸ軸方向Ｄ１であり、前記配列順序は、Ｘ軸方向Ｄ１における原点に近い側に第１名刺画像Ｇ１、原点から遠い側に第２名刺画像Ｇ２が並ぶ順序である。
【００６０】
主制御部４１が、前記名刺配列方向および前記配列順序を、操作装置３ａに対する操作に応じて予め定められた複数の候補から選択することも考えられる。
【００６１】
＜工程Ｓ２＞
次に、名刺画像抽出部４４が、入力画像Ｇ０から前記名刺配列方向に沿って並ぶ第１名刺画像Ｇ１および第２名刺画像Ｇ２を抽出する。
【００６２】
例えば、名刺画像抽出部４４は、エッジ検出処理によって文字列の画像を含む矩形状の画像を第１名刺画像Ｇ１および第２名刺画像Ｇ２として抽出する。
【００６３】
＜工程Ｓ３＞
次に、名刺情報抽出部４５が、第１名刺画像Ｇ１および第２名刺画像Ｇ２それぞれに対して周知の文字認識処理を実行する。これにより、名刺情報抽出部４５が、第１名刺画像Ｇ１および第２名刺画像Ｇ２それぞれから文字列を抽出する。
【００６４】
以下の説明において、第１名刺画像Ｇ１から抽出される文字列のことを第１抽出文字列と称し、第２名刺画像Ｇ２から抽出される文字列のことを第２抽出文字列と称する。前記第１抽出文字列は、前記旧名刺に記録されている文字列であり、前記第２抽出文字列は、前記新名刺に記録されている文字列である。
【００６５】
＜工程Ｓ４＞
さらに、名刺情報抽出部４５は、前記第１抽出文字列から予め定められた複数の項目の名刺情報である旧名刺情報Ｇ１０を抽出し、さらに、前記第２抽出文字列から前記複数の項目の名刺情報である新名刺情報Ｇ２０を抽出する（図３，４参照）。
【００６６】
前記複数の項目は、例えば人物の名前、会社名、所属部署、役職、電話番号、ファクシミリ番号および電子メールアドレスなどを含む。前記名刺情報は、前記複数の項目それぞれの具体的内容を表す情報である。なお、前記名刺画像から前記名刺情報を抽出する処理は周知の処理である。
【００６７】
図３，４に示される例では、人物の名前、役職、会社名、住所、電子メールアドレス、電話番号およびファクシミリ番号などの複数の項目に対応する複数の旧名刺情報Ｇ１０および複数の新名刺情報Ｇ２０が、前記第１抽出文字列および前記第２抽出文字列から抽出される。
【００６８】
図４に示されるように、第１名刺画像Ｇ１における複数の旧名刺情報Ｇ１０のレイアウトと、第２名刺画像Ｇ２における複数の新名刺情報Ｇ２０のレイアウトとが異なることも考えられる。
【００６９】
名刺情報抽出部４５は、前記文字認識処理を行うことによって前記複数の項目に対応する旧名刺情報Ｇ１０および新名刺情報Ｇ２０を特定する。そのため、名刺情報抽出部４５は、第１名刺画像Ｇ１および第２名刺画像Ｇ２における記録情報のレイアウトに関わらず、旧名刺情報Ｇ１０および新名刺情報Ｇ２０の対応関係を正しく認識できる。
【００７０】
名刺情報抽出部４５は、旧名刺情報Ｇ１０および新名刺情報Ｇ２０を特定する際に、第１名刺画像Ｇ１および第２名刺画像Ｇ２における旧名刺情報Ｇ１０および新名刺情報Ｇ２０が記録されている位置も特定する。
【００７１】
なお、旧名刺情報Ｇ１０および新名刺情報Ｇ２０は、それぞれ第１名刺情報および第２名刺情報に相当する。
【００７２】
＜工程Ｓ５＞
次に、情報比較部４６が、旧名刺情報Ｇ１０のうち対応する新名刺情報Ｇ２０と内容が異なるものである元差異情報Ｇ１１を特定する（図３，４参照）。さらに、情報比較部４６は、元差異情報Ｇ１１に対応する新名刺情報Ｇ２０である新差異情報Ｇ２１を特定する。
【００７３】
なお、第１名刺画像Ｇ１における元差異情報Ｇ１１が抽出された位置に対応する名刺シート９２ｃ内の領域が出力領域Ａ０である。工程Ｓ４において、名刺情報抽出部４５が、第１名刺画像Ｇ１における元差異情報Ｇ１１に相当する旧名刺情報Ｇ１０が記録されている領域の位置を特定するが、その位置が出力領域Ａ０の位置である。
【００７４】
なお、旧名刺情報Ｇ１０および新名刺情報Ｇ２０が対応するとは、旧名刺情報Ｇ１０および新名刺情報Ｇ２０が共通する前記項目の内容の情報であることを意味する。
【００７５】
具体的には、情報比較部４６は、前記項目毎に旧名刺情報Ｇ１０および新名刺情報Ｇ２０の内容が同じであるか否かを判定する。そして、情報比較部４６は、前記項目毎に旧名刺情報Ｇ１０および新名刺情報Ｇ２０の内容が異なる場合に、それら旧名刺情報Ｇ１０および新名刺情報Ｇ２０をそれぞれ元差異情報Ｇ１１および新差異情報Ｇ２１として特定する。
【００７６】
図３，４に示される例では、複数の旧名刺情報Ｇ１０のうち役職および電話番号の情報が元差異情報Ｇ１１として特定され、複数の新名刺情報Ｇ２０のうち役職および電話番号の情報が新差異情報Ｇ２１として特定される。
【００７７】
＜工程Ｓ６＞
次に、案内画像生成部４７が、例えば図６に示されるような出力領域案内画像Ｇ４を表すデータを生成する。
【００７８】
出力領域案内画像Ｇ４は、名刺シート９２ｃにおける修正画像Ｇ２１０が形成され出力領域Ａ０の位置を示す出力領域情報の一例である。図６は、出力領域案内画像Ｇ４が形成されたシート９２である出力領域案内シート９２ｂの一例を示す。
【００７９】
出力領域案内画像Ｇ４は、切り取り線画像Ｌ１と、折り目線画像Ｌ２と、出力位置指示線画像Ｌ３とを含む。切り取り線画像Ｌ１は、出力領域案内シート９２ｂにおける折り目線画像Ｌ２および出力位置指示線画像Ｌ３を含む領域の輪郭を示す線の画像である。
【００８０】
折り目線画像Ｌ２は、第１名刺画像Ｇ１の輪郭における隣り合う２辺に沿う線を表す画像である。図６に示される例において、折り目線画像Ｌ２は、第１名刺画像Ｇ１の輪郭における上辺および左辺に沿う２本の線を表す。
【００８１】
図６において、一点鎖線が折り目線画像Ｌ２である。なお、折り目線画像Ｌ２が、第１名刺画像Ｇ１の輪郭における上辺、左辺および下辺の３辺に沿う３本の線を表すことも考えられる。
【００８２】
出力位置指示線画像Ｌ３は、折り目線画像Ｌ２を基準にした出力領域Ａ０の位置を指示する指示画像の一例である。図６に示される例では、出力位置指示線画像Ｌ３は、折り目線画像Ｌ２を基準にした出力領域Ａ０を囲む枠線の画像である。
【００８３】
＜工程Ｓ７＞
次に、プリント制御部４３が、出力領域案内画像Ｇ４をシート９２に形成する前記プリント処理をプリント処理装置２に実行させる。
【００８４】
出力領域案内画像Ｇ４の前記プリント処理に用いられるシート９２は、名刺シート９２ｃおよびステッカーシート９２ａとは異なる一般的な用紙である。工程Ｓ７の処理により、出力領域案内シート９２ｂが印刷物として生成される（図６参照）。
【００８５】
ユーザーは、出力領域案内シート９２ｂの一部を、切り取り線画像Ｌ１に沿って切り取る。さらに、前記ユーザーは、出力領域案内シート９２ｂにおける出力位置指示線画像Ｌ３により囲まれる部分を出力位置指示線画像Ｌ３に沿って切り取る。
【００８６】
前記ユーザーによる出力領域案内シート９２ｂの一部を切り取る作業により、図７に示されるような出力領域案内片９００が、出力領域案内シート９２ｂから切り出される。出力領域案内片９００における出力位置指示線画像Ｌ３の内側の部分は、切り取られることによって出力領域指示窓９０２を形成している。出力領域指示窓９０２は開口である。
【００８７】
さらに、図８に示されるように、前記ユーザーは、出力領域案内片９００を折り目線画像Ｌ２に沿って折る。これにより、名刺シート９２ｃにおける隣り合う２辺に沿う形状の折り目９０１が出力領域案内片９００に形成される。
【００８８】
図８に示される例では、名刺シート９２ｃにおける上辺および左辺に沿う形状の折り目９０１が出力領域案内片９００に形成される。
【００８９】
そして、図９に示されるように、前記ユーザーは、名刺シート９２ｃの２辺が出力領域案内片９００の折り目９０１に沿うように、名刺シート９２ｃを出力領域案内片９００における折り目９０１の内側へ挿入する。
【００９０】
名刺シート９２ｃが出力領域案内片９００における折り目９０１の内側へ挿入されると、名刺シート９２ｃの出力領域Ａ０が、出力領域指示窓９０２から露出する。
【００９１】
出力領域指示窓９０２は、名刺シート９２ｃにおける粘着シート片９２０の貼り付けの位置および向きの目安となる。これにより、前記ユーザーは、容易に粘着シート片９２０を名刺シート９２ｃにおける理想的な位置に理想的な向きで貼り付けることができる。
【００９２】
＜工程Ｓ８＞
次に、主制御部４１が、ステッカーシート確認処理を実行する。
【００９３】
前記ステッカーシート確認処理は、何も記録されていないステッカーシート９２ａが画像形成装置１０におけるシート９２の収容部にセットすることを促すメッセージを表示装置３ｂに表示させ、操作装置３ａに対して予め定められた第１確認操作が行われることを検出する処理である。
【００９４】
主制御部４１は、操作装置３ａに対して前記第１確認操作が行われたことを検出すると、処理を工程Ｓ９へ移行させる。
【００９５】
＜工程Ｓ９＞
工程Ｓ９において、切り出し画像生成部４８が、例えば図５に示されるような切り出し画像Ｇ３を表すデータを生成する。
【００９６】
切り出し画像Ｇ３は、名刺シート９２ｃとは異なるシート９２であるステッカーシート９２ａから出力領域Ａ０を覆う大きさの矩形の粘着シート片９２０を切り出す位置を示す画像である。
【００９７】
＜工程Ｓ１０＞
次に、プリント制御部４３が、切り出し画像Ｇ３をシート９２に形成する前記プリント処理をプリント処理装置２に実行させる。これにより、切り出し画像Ｇ３がプリントされたステッカーシート９２ａが印刷物として生成される（図５参照）。
【００９８】
前述したように、ステッカーシート９２ａは、前記剥離紙と前記剥離紙に貼り付けられた前記粘着シートとの二重構造を有する。そのため、切り出し画像Ｇ３は、ステッカーシート９２ａから前記剥離紙における粘着シート片９２０に重なる部分とともに粘着シート片９２０を切り出す位置を示す。
【００９９】
図５に示される例では、切り出し画像Ｇ３は、Ｘ軸方向Ｄ１に沿う切り取り線のＹ軸方向Ｄ２における位置を示す複数の第１目盛り線画像Ｍ１と、Ｙ軸方向Ｄ２に沿う切り取り線のＸ軸方向Ｄ１における位置を示す複数の第２目盛り線画像Ｍ２とを含む。
【０１００】
本実施形態において、元差異情報Ｇ１１の画像および新差異情報Ｇ２１の画像における文字画像の配列方向は、Ｘ軸方向Ｄ１である。この場合、第１目盛り線画像Ｍ１の間隔および第２目盛り線画像Ｍ２の間隔が、以下のように設定されることが考えられる。
【０１０１】
本実施形態において、第１目盛り線画像Ｍ１の間隔は、出力領域Ａ０のＹ軸方向Ｄ２の寸法、即ち、第１名刺画像Ｇ１における元差異情報Ｇ１１の画像のＹ軸方向Ｄ２の寸法に対応している。例えば、第１目盛り線画像Ｍ１の間隔は、元差異情報Ｇ１１の画像のＹ軸方向Ｄ２の寸法に予め定められた長さを加算することによって導出される。
【０１０２】
一方、第２目盛り線画像Ｍ２の間隔は、出力領域Ａ０のＸ軸方向Ｄ１の寸法に対応している。例えば、第２目盛り線画像Ｍ２の間隔は、以下に示される第１の長さおよび第２の長さのうちの大きい方に設定される。
【０１０３】
前記第１の長さは、第１名刺画像Ｇ１における元差異情報Ｇ１１の画像のＸ軸方向Ｄ１の寸法に予め定められた長さを加算した長さである。前記第２の長さは、第２名刺画像Ｇ２における新差異情報Ｇ２１の画像のＸ軸方向Ｄ１の寸法に予め定められた長さを加算した長さである。
【０１０４】
例えば、前記ユーザーは、不図示の定規を第１目盛り線画像Ｍ１の位置に合わせ、不図示のカッターを用いて前記定規に沿ってステッカーシート９２ａを切る。これにより、Ｘ軸方向Ｄ１に沿う直線状の複数の切り目が、ステッカーシート９２ａに形成される。
【０１０５】
さらに、前記ユーザーは、前記カッターまたは不図示のハサミを用いて第２目盛り線画像Ｍ２に沿ってステッカーシート９２ａを切る。これにより、ステッカーシート９２ａから出力領域Ａ０を覆う大きさの矩形の粘着シート片９２０が切り出される。
【０１０６】
さらに、前記ユーザーは、何も記録されていない粘着シート片９２０を名刺シート９２ｃにおける元差異情報Ｇ１１が記録されている領域に貼り付ける。その際、図９に示されるように、前記ユーザーは、名刺シート９２ｃを出力領域案内片９００における折り目９０１の内側へ挿入した上で、粘着シート片９２０を名刺シート９２ｃにおける出力領域指示窓９０２内の領域に貼り付けることができる。
【０１０７】
図１０は、何も記録されていない粘着シート片９２０が出力領域Ａ０を覆うように貼り付けられた名刺シート９２ｃを示す。
【０１０８】
＜工程Ｓ１１＞
次に、主制御部４１が、名刺シート確認処理を実行する。
【０１０９】
前記名刺シート確認処理は、何も記録されていない粘着シート片９２０が貼り付けられた名刺シート９２ｃが画像形成装置１０におけるシート９２の収容部にセットすることを促すメッセージを表示装置３ｂに表示させ、操作装置３ａに対して予め定められた第２確認操作が行われることを検出する処理である。
【０１１０】
主制御部４１は、操作装置３ａに対して前記第２確認操作が行われたことを検出すると、処理を工程Ｓ１２へ移行させる。
【０１１１】
＜工程Ｓ１２＞
工程Ｓ１２において、プリント制御部４３が、粘着シート片９２０が貼り付けられた名刺シート９２ｃの一部の出力領域Ａ０に修正画像Ｇ２１０を形成する前記プリント処理をプリント処理装置２に実行させる（図１１参照）。
【０１１２】
修正画像Ｇ２１０は、工程Ｓ５で特定される新差異情報Ｇ２１の画像である。プリント制御部４３は、工程Ｓ５で特定される元差異情報Ｇ１１の文字画像のフォントサイズと同じサイズのフォントで新差異情報Ｇ２１を表す修正画像Ｇ２１０を名刺シート９２ｃに形成する処理をプリント処理装置２に実行させる。
【０１１３】
複数枚の名刺シート９２ｃが画像形成装置１０におけるシート９２の収容部にセットされている場合、プリント制御部４３は、それら複数枚の名刺シート９２ｃに連続して修正画像Ｇ２１０を形成する処理をプリント処理装置２に実行させる。
【０１１４】
その後、プリント制御部４３は、名刺リメイク支援処理を終了させる。
【０１１５】
画像形成装置１０が用いられることにより、前記ユーザーは、前記旧名刺における記録情報の一部を、ステッカーシート９２ａを用いて容易に修正することができる。
【０１１６】
例えば、粘着シート片９２０が名刺シート９２ｃに対して理想の位置または向きからズレた位置または向きで貼り付けられることが考えられる（図１０参照）。そのような場合でも、画像形成装置１０は、名刺シート９２ｃにおける理想の位置に理想の向きで修正画像Ｇ２１０をプリントすることができる。
【０１１７】
［応用例］
プリント制御部４３が、予め設定される指定個数の修正画像Ｇ２１０をステッカーシート９２ａに並べて形成する前記プリント処理をプリント処理装置２に実行させることも考えられる。
【０１１８】
本応用例によれば、前記ユーザーが情報処理装置８または画像処理装置１０において新差異情報Ｇ２１を情報処理装置８のキーボードまたは操作装置３ａを通じて入力する手間が省かれる。
【０１１９】
本応用例において、読取制御部４２は、画像読取装置１における不図示の自動原稿搬送装置を制御することにより、前記旧名刺の枚数を自動カウントし、カウントした前記旧名刺の枚数を前記指定個数として自動設定する。これにより、前記ユーザが前記旧名刺の枚数を数える手間が省かれる。
【符号の説明】
【０１２０】
１        ：画像読取装置
１ａ      ：原稿台
１ｂ      ：光源
１ｃ      ：走査機構
１ｄ      ：イメージセンサー
２        ：プリント処理装置
３        ：ユーザーインターフェイスユニット
３ａ      ：操作装置
３ｂ      ：表示装置
４        ：ＣＰＵ
４ａ      ：ＲＡＭ
５        ：二次記憶装置
６        ：通信装置
８        ：情報処理装置
１０      ：画像形成装置
４１      ：主制御部
４２      ：読取制御部
４３      ：プリント制御部
４４      ：名刺画像抽出部
４５      ：名刺情報抽出部
４６      ：情報比較部
４７      ：案内画像生成部
４８      ：切り出し画像生成部
８０      ：ネットワーク
９１      ：原稿
９２      ：シート
９２ａ    ：ステッカーシート
９２ｂ    ：出力領域案内シート
９２ｃ    ：名刺シート
９００    ：出力領域案内片
９０１    ：折り目
９０２    ：出力領域指示窓
９２０    ：粘着シート片
Ａ０      ：出力領域
Ｄ１      ：Ｘ軸方向
Ｄ２      ：Ｙ軸方向
Ｇ０      ：入力画像
Ｇ１      ：第１名刺画像
Ｇ１０    ：旧名刺情報
Ｇ１１    ：元差異情報
Ｇ２      ：第２名刺画像
Ｇ２０    ：新名刺情報
Ｇ２１    ：新差異情報
Ｇ２１０  ：修正画像
Ｇ３      ：切り出し画像
Ｇ４      ：出力領域案内画像
Ｌ１      ：切り取り線画像
Ｌ２      ：折り目線画像
Ｌ３      ：出力位置指示線画像
Ｍ１      ：第１目盛り線画像
Ｍ２      ：第２目盛り線画像
【図１】
2019193179.tif 000003
【図２】
2019193179.tif 000004
【図３】
2019193179.tif 000005
【図４】
2019193179.tif 000006
【図５】
2019193179.tif 000007
【図６】
2019193179.tif 000008
【図７】
2019193179.tif 000009
【図８】
2019193179.tif 000010
【図９】
2019193179.tif 000011
【図１０】
2019193179.tif 000012
【図１１】
2019193179.tif 000013